(57)【特許請求の範囲】
【請求項１】
先端に工具（２）が取り付けられるスピンドル（３）を内蔵されたスピンドルモータ（５）によって回転駆動するスピンドルユニット（４）と、
前記スピンドルユニット（４）を支持する支持ヘッド（６）であって前記スピンドルユニット（４）の回動軸線（Ａ軸）方向に離間して配置された一対のフォークアーム（７）及び各フォークアーム（７）内において軸受（１３）によって回動自在に支持されて前記スピンドルユニット（４）に連結された一対の支持軸（９、３０、３１）を備えた支持ヘッド（６）と、
を含む工作機械用スピンドルヘッド（１）において、
前記各支持軸（９、３０、３１）に前記スピンドルユニット（４）から延出される複数本の線体（２２）であって、スピンドルモータ（５）に駆動電流を供給するための動力線（２２ａ）、スピンドルユニット（４）内に設けられたセンサからの信号を出力する信号線（２２ｂ）及びスピンドルユニット（４）に加工用流体を供給するための流体供給用のパイプ（２２ｃ）を含む線体（２２）を配索するための貫通孔（１２）が形成されており、
前記複数本の線体（２２）を２群に分けて２つの線体群にすると共に、各線体群を前記一対の支持軸（９、３０、３１）の各々に分けて配索する、
ことを特徴とする工作機械用スピンドルヘッド（１）。
【請求項２】
前記動力線（２２ａ）と前記信号線（２２ｂ）とを異なる前記線体群に分けて配線することを特徴とする請求項１記載の工作機械用スピンドルヘッド（１）。
【請求項３】
前記各フォークアーム（７）内には、その構成要素として、前記支持軸（９）及び前記軸受（１３）に加え、前記支持軸（９）を回動させるための駆動モータ（１４）及び前記支持軸（９）の回動位置を保持するためのクランプ手段（２８）が配設されており、
前記各構成要素によって構成される前記一対のフォークアーム（７）内の構造が、前記スピンドルユニット（４）における前記スピンドル（３）の回転軸線（Ｃ軸）に対し線対称となっていることを特徴とする請求項１または請求項２記載の工作機械用スピンドルヘッド（１）。
【発明の詳細な説明】
【技術分野】
【０００１】
本発明は、工作機械用のスピンドルヘッドに関し、特にスピンドルユニットに対し電力および流体を供給するための構造に関する。
【背景技術】
【０００２】
特許文献１は、いわゆるマシニングセンタ等の工作機械において、工具が取り付けられるスピンドルを回転駆動するスピンドルユニットを支持し、旋回駆動するためのフォーク形の駆動部（Ａ軸駆動部）を有するスピンドルヘッドを開示している。
【０００３】
前記スピンドルユニットは、内蔵されたスピンドルモータ（ビルトインモータとも言う）によって、スピンドルユニットのハウジング内で回転自在に支持されたスピンドルを回転駆動する。前記スピンドルモータには、駆動電流を供給するための動力線が接続されており、この動力線は、スピンドルユニットのハウジング内から外部へ引き出され、工作機械側の電源回路へ向けて配線される。
【０００４】
なお、前記動力線は、スピンドルユニットが回動する際に障害とならないように、スピンドルユニットを支持する支持ヘッドのハウジング内を通して配線されるのが一般的である。また、スピンドルユニットから支持ヘッドへの配線は、スピンドルユニットの後端部（後端面）から一旦動力線を外部へ導出した後に再び支持ヘッド内に導入するものも存在するが、スピンドルユニットの回動に伴って動力線が振り回されるのを嫌い、支持ヘッド内に設けられたスピンドルユニットを支持するための支持軸に貫通孔を形成し、支持軸内に動力線を通して配線して、動力線が外部に露出しないようにする場合もある。そして、従来の一般的なスピンドルヘッドでは、上記のように支持軸内に動力線を通して配線する場合、スピンドルユニットの両側にそれぞれ位置する支持軸のうちの一方のみが配線可能に構成されており、スピンドルユニットの片側からのみ動力線を延出して配線する構造となっている。
【０００５】
ところで、生産性を向上させるべくスピンドルモータを高出力化すると、それに伴って動力線は太くなる。また、スピンドルを低速及び高速の二段階で駆動可能とすべく、スピンドルモータが高速回転用巻線と低速回転用巻線を持つ巻線切替式のものである場合、動力線の数は倍になる（例えば、三相モータのＵ、Ｖ、Ｗ相各１本ずつの倍で計６本）。
【０００６】
また、支持軸中の配線経路には、スピンドルモータのための動力線だけでなく、スピンドルユニット内に設けられるセンサ（モータのための温度センサ、回転センサ）からの信号線が配線される場合がある。さらには、スピンドルユニットに加工用流体を供給するためのパイプを配管する場合もある。この加工用流体としては、例えば、切削加工時に生じる切り粉がスピンドルユニット内に侵入するのを防止するためにスピンドルの先端付近からワーク側へ向けて噴射される空気、スピンドルモータを冷却するための冷却用の流体、加工用のクーラント液等が挙げられる。
【０００７】
このように、支持軸内には、複数本の動力線や信号線といったケーブル類が配線されると共に、流体供給用のパイプが配管される場合があるが、これら複数本のケーブル類やパイプを支持軸内に通すと、支持軸における貫通孔内の空間的な余裕が無くなり、支持軸の回転に伴って上記ケーブル類が捩じれたりこすれたりして断線の生じるおそれがある。また、空間的な余裕が無いため、より太い動力線を通すことができず、高出力のスピンドルモータに対応できない場合がある。そもそも、動力線の場合には、動力線が挿通される空間の容積率が設計上規定されており、あまり余裕の無い空間に動力線を通すことはできない。
【特許文献１】米国特許5,584,621号明細書
【発明の開示】
【発明が解決しようとする課題】
【０００８】
したがって、本発明の課題は、スピンドルユニットのための複数本の動力線、信号線、流体供給用のパイプ等（以下「線体」という。）が支持軸内に配線、配管（以下「配索」という。）されるスピンドルヘッドにおいて、上記線体が挿通された状態で支持軸内の配索経路に空間的な余裕が多く得られるものとし、ケーブル類に断線が生じるのを防止すると共に、高出力のスピンドルモータに対応できるものとすることである。
【課題を解決するための手段】
【０００９】
上記課題のもとに、本発明は、先端に工具（２）が取り付けられるスピンドル（３）を内蔵されたスピンドルモータ（５）によって回転駆動するスピンドルユニット（４）と、前記スピンドルユニット（４）を支持する支持ヘッド（６）であって前記スピンドルユニット（４）の回動軸線（Ａ軸）方向に離間して配置された一対のフォークアーム（７）及び各フォークアーム（７）内において軸受（１３）によって回動自在に支持されて前記スピンドルユニット（４）に連結された一対の支持軸（９、３０、３１）を備えた支持ヘッド（６）と、を含む工作機械用スピンドルヘッド（１）において、前記各支持軸（９、３０、３１）に前記スピンドルユニット（４）から延出される複数本の線体（２２）であって、スピンドルモータ（５）に駆動電流を供給するための動力線（２２ａ）、スピンドルユニット（４）内に設けられたセンサからの信号を出力する信号線（２２ｂ）及びスピンドルユニット（４）に加工用流体を供給するための流体供給用のパイプ（２２ｃ）を含む線体（２２）を配索するための貫通孔（１２）を形成し、前記複数本の線体（２２）を２群に分けて２つの線体群にすると共に、各線体群を前記一対の支持軸（９、３０、３１）の各々に分けて配索している。
【００１０】
また、本発明においては、前記動力線（２２ａ）と前記信号線（２２ｂ）とを異なる前記線体群に分けて配線してもよい。
【００１１】
さらに、本発明においては、前記支持ヘッド（６）を、前記各フォークアーム（７）内に、その構成要素として、前記支持軸（９）及び前記軸受（１３）に加え、前記支持軸（９）を回動させるための駆動モータ（１４）及び前記支持軸（９）の回動位置を保持するためのクランプ手段（２８）が配設されるものとし、前記各構成要素によって構成される前記一対のフォークアーム（７）内の構造を、前記スピンドルユニット（４）における前記スピンドル（３）の回転軸線（Ｃ軸）に対し線対称としてもよい。
【発明の効果】
【００１２】
本発明によれば、前述の工作機械用スピンドルヘッド（１）において、スピンドルユニット（４）から延出される複数本の線体（２２）（スピンドルモータ用の動力線、センサの信号線、スピンドルユニットに加工用流体を供給するためのパイプ）を配索するための貫通孔（１２）を一対の支持軸（９、３０、３１）のそれぞれに形成すると共に、複数本の線体（２２）を２群に分けて各線体群を前記一対の支持軸（９、３０、３１）の各々に分けて配索するから、スピンドルユニット（４）から延出される複数本の線体（２２）を一方の支持軸にのみ挿通させて配索する場合と比べ、支持軸内における配索経路中の空間的な余裕が大きくなり、支持軸の回転に伴って支持軸内に配索された線体が捩じれたりこすれたりして断線が生じることを可及的に防止することができる。また、配索経路中の空間的な余裕が大きいため、より太い動力線が挿通可能であり、スピンドルヘッドに対しより高出力のスピンドルモータを採用することができる。
【００１３】
また、複数の線体（２２）に含まれるスピンドルモータ（５）に駆動電流を供給するための動力線（２２ａ）とスピンドルユニット内に設けられたセンサからの信号を出力する信号線（２２ｂ）とを異なる前記線体群に分けて配線することにより、動力線から発生するノイズが信号線に悪影響を及ぼすのを防止でき、正確な検出値を得ることができる。
【００１４】
さらに、各フォークアーム（７）内の構造を、スピンドルユニット（４）におけるスピンドル（３）の回転軸線（Ｃ軸）に対し線対称とすることにより、以下の効果を期待できる。
【００１５】
すなわち、支持ヘッドの駆動に伴って駆動モータは熱を発生し、その熱によって駆動モータ周りの構成要素からなる構造が熱変位を起こす場合がある。このときスピンドルユニットを回動軸線（Ａ軸）方向における左右両側で支持する支持軸を含む各フォークアーム内の構造に違いがあると、上記熱変位に伴う構造の状態変化が各フォークアーム内で異なるものとなり、それに伴い、各フォークアーム内の支持軸によって両側で支持されたスピンドルユニットに傾きが生じ、スピンドルの軸線が左右のいずれかにずれ、加工精度が低下する場合が生じる。これに対し、各フォークアーム内の構造、特に主要な構成要素からなる構造を対称構造とすることにより、上記熱変位に伴う構造状態の変化が各フォークアーム内で同じものとなり、上記のようなスピンドルの軸線のずれを防ぐことができる。
【発明を実施するための最良の形態】
【００１６】
本発明の対象となるスピンドルヘッドは、工作機械例えば縦型のマシニングセンタ（複合加工機）等に用いられる。以下、本発明を縦型のマシニングセンタに適用した例を説明する。
【００１７】
図１および図２は、本発明の工作機械用スピンドルヘッド１を示している。工作機械用スピンドルヘッド１とは、縦型のマシニングセンタ等に用いられ、工具２が装着されるスピンドルユニット４を支持して旋回駆動する装置のことをいう。ここに示す工作機械用スピンドルヘッド１は、縦型のマシニングセンタ等に搭載された場合において、工作機械用スピンドルヘッド１全体が工作機械のＸＹＺ方向に移動するのに加え、工作機械用スピンドルヘッド１に支持されたスピンドルユニット４がＸＹ平面と平行な軸（Ａ軸）回りおよびＺ軸と平行な軸（Ｃ軸）回りに回転運動する。
【００１８】
工作機械用スピンドルヘッド１は、先端に工具２が取り付けられるスピンドル３と、スピンドルを回転駆動するスピンドルユニット４と、スピンドルユニット４をＡ軸回りに回動可能に支持する第１の支持ヘッド（Ａ軸駆動部）６と、スピンドルユニット４および第１の支持ヘッド６とをＣ軸回りに回転可能に支持する第２の支持ヘッド（Ｃ軸駆動部）２９とで構成されており、工具２を工作物に対して最適な方向へ向けることにより、複雑な形状の部品を高能率かつ高精度に加工する。スピンドルユニット４は、その内部にスピンドルモータ５を内蔵したビルトインモータ型であり、そのスピンドルモータ５によってスピンドル３を回転駆動する。切削加工時、スピンドル３の先端に切削加工に適合する工具２が取付けられ、スピンドル３、すなわち工具２の回転によって加工対象の工作物に切削加工を施す。
【００１９】
第１の支持ヘッド６は、フォーク形のハウジング８をそのフレームとし、スピンドルユニット４の回動軸線（Ａ軸）方向に離間して配置された一対のフォークアーム７内に駆動モータ１４を配設した両側モータ型である。
【００２０】
一対のフォークアーム７は、スピンドル３の回転軸線（Ｃ軸）を対称軸として線対称の内部構造を有しており、各フォークアーム７は、それぞれ、スピンドルユニット４に連結された支持軸９と、支持軸９を回動自在に支持する軸受１３と、スピンドルユニット４をＡ軸回りに割出し駆動する駆動モータ１４としてのＤＤモータと、スピンドルユニット４へ流体を供給するためのロータリジョイント１８と、支持軸９をクランプしてスピンドルユニット４を所望の割出し角度で固定するクランプ手段２８としてのクランプスリーブとを有している。ただし、図１において左側のフォークアーム７内にのみ、支持軸９の回転角度を検出するための回転検出器（エンコーダ）２５が設けられている。回転検出器２５以外の構成は、全てＣ軸を対称軸として線対称である。
【００２１】
駆動モータ１４は、支持軸９をギヤ等の駆動伝達機構を介さずに直接的に駆動するものでありダイレクト（直接駆動型）駆動モータとも呼ばれるものである。駆動モータ１４は、モータロータ１５と、モータステータ１６とを有しており、モータロータ１５は支持軸９の一部を構成する回動ホイール１０に固定され、モータステータ１６はフォークアーム７に固定されたステータスリーブ１７に回転不能に嵌め込まれている。
【００２２】
ロータリジョイント１８は、回動するスピンドルユニット４に対し、第１の支持ヘッド６側から加工用流体を供給するためのものであり、フォークアーム７に固定されたディストリビュータ１９、２０と、支持軸９の一部を構成し支持軸９とともに回動するシャフト２１とからなる。ここにいう、加工用流体としては、例えば、冷却用のクーラント液や水、加工時に発生する切り粉等を除去するためのエア等が挙げられる。
【００２３】
支持軸９は、前述した回動ホイール１０、シャフト２１および回動スリーブ１１とから構成されている。支持軸９の両端のうち、一端はスピンドルユニット４に連結されており、他端はフォークアーム７の外側側面に露出した状態となっている。また、回動ホイール１０、シャフト２１および回動スリーブ１１の部材のそれぞれには、中心部に同径の孔が形成されており、これらの孔は各部材が組み合わされた状態で支持軸９を軸線方向に貫く貫通孔１２を形成している。すなわち、貫通孔１２は、第１の支持ヘッド６のハウジング８（フォークアーム７）の外側から、第１の支持ヘッド６の内部を貫通してスピンドルユニット４に到達している。
【００２４】
貫通孔１２には、スピンドルユニット４から延出された複数本の線体２２が配索されている。「線体」とは、先に定義した通り、動力線や信号線等の電気的なケーブル類だけでなく、流体供給用のパイプ等も含む概念であり、図１では、スピンドルユニット４の動力線２２ａ、信号線２２ｂ及び加工用流体を供給するためのパイプ２２ｃが配索されている例を示している。ただし、図面ではその一部を省略している。
【００２５】
前述のとおり、一対のフォークアーム７は、Ｃ軸を対称軸として線対称の内部構造を有しており、貫通孔１２もスピンドルユニット４の両側に形成されている。これにより、前記複数本の線体２２を、線体２２の用途、サイズ等に応じて２群に分けて２つの線体群とし、各線体群を一対の支持軸９の貫通孔１２に各々分けて配索することができる。例えば、本例では、動力線２２ａから発生するノイズが信号線２２ｂへ及ぼす影響を考慮して、動力線２２ａと信号線２２ｂとを分けて別の支持軸９の貫通孔１２内に配線している（ただし、信号線２２ｂとしてノイズの影響を受け難いものを採用した場合は、同じ支持軸９内に配線しても問題は生じないため、各線体群を動力線２２ａと信号線２２ｂとが混在したものとしてもよい）。
【００２６】
なお、本例では、前述のとおり、両支持軸９における貫通孔１２内に配索される線体２２を、スピンドルユニット４内のスピンドルモータ５の動力線２２ａ、センサからの信号線２２ｂといった電気的なケーブル類の他、前述の加工用流体を供給するための流体供給用のパイプ（供給パイプ２２ｃ）を含むものとしている。すなわち、本例では、前述の加工用流体を、第１の支持ヘッド６のハウジング８等に形成された流体流路からロータリジョイント１８を介してスピンドルユニット４へ供給するとともに、加工用流体の一部をロータリジョイント１８を介さずに貫通孔１２内に配管した供給パイプ２２ｃでスピンドルユニット４へ供給している。
【００２７】
このように、スピンドルユニット４の両側に線体２２の配索経路となる貫通孔１２を形成したことにより、種々の一又は二以上の線体２２を、その用途やサイズに応じて２群に分けて２つの線体群とし、各線体群を一対の貫通孔１２のそれぞれに振り分けて配索することができる。
【００２８】
例えば、先に述べたとおり、動力線２２ａと信号線２２ｂとを異なる線体群に分け、それぞれを異なる支持軸９の貫通孔１２に振り分けて配索する他、電気的なケーブル類と流体供給パイプとを分けて配索してもよい。すなわち、一方の支持軸９の貫通孔１２内には電気的なケーブル類のみを配線し、他方の支持軸９の貫通孔１２内には流体供給パイプのみを配管すれば、漏水による漏電やショートを未然に防止できる。さらに、配索する線体２２の種類に応じて貫通孔１２に防磁、非導電処理、耐熱・断熱等のシールド、シーリング処理を施せば、上記効果をさらに高めることができる。
【００２９】
ところで、図示のスピンドルヘッド６では、各フォークアーム７内にロータリジョイント１８が設けられている。このように、ロータリジョイントを備えたスピンドルヘッドにおいて、支持軸内にケーブル類等を挿通させるにあたり、支持軸の貫通孔内における空間的な余裕をできるだけ大きくするために、一般的な解決手段として設計可能な範囲で支持軸の径を大きくすることも考えられる。しかし、支持軸の径を大きくすると、支持軸を囲繞するかたちで設けられているロータリジョイントの径も大きくならざるを得ない。ロータリジョイントのディストリビュータとシャフトとは、その嵌合面が摺動しつつ相対回転し、また両者間にはシール部材が介装されているため、単に摺接する場合と比べて摺動抵抗は比較的大きい。そして、両者間の摺動抵抗は摺動面の面積に比例し、その面積は摺動面の径に比例するため、ロータリジョイントの径が大きくなる程に摺動抵抗は大きくなる。従って、駆動モータの動力損失を抑えることを考えた場合、ロータリジョイントの径は小さい方が好ましく、そのためには支持軸の径も小さい方が好ましい。このように、一般的な解決手段では、支持軸内における空間的な余裕を大きくすること、及びロータリジョイントの（摺動面の）径を大きくしないこと、という互いに相反する要求を満たすことができなかった。
【００３０】
これに対し、本発明によれば、スピンドルユニット４を支持する一対の支持軸９のいずれにも貫通孔１２を形成し、複数のケーブル類等を各支持軸９に振り分けて配索するため、支持軸９の径を大きくすることなく支持軸９内の空間的な余裕を従来技術よりも大きくすることができ、支持軸９内における空間的な余裕を確保しつつもロータリジョイント１８における摺動面の摺動抵抗の増大を回避することができる。
【００３１】
第１の支持ヘッド６と、第２の支持ヘッド２９とは、第１の支持ヘッド６の取付基部２３で接続されている。なお、第２の支持ヘッド２９は、図３の説明と共に後述するが、工作機械、例えばマシニングセンタなどによって保持され、図示しないが、内部にＤＤモータなどの駆動モータを内蔵しており、Ｃ軸（マシニングセンタのＺ軸と平行な軸線）を回転中心として第１の支持ヘッド６を回転させる。なお、Ｃ軸は、スピンドル３の待機状態で、スピンドル３の中心軸と一致している。
【００３２】
図示の例における線体２２としてのケーブル類（動力線２２ａ、信号線２２ｂ及び供給パイプ２２ｃ）は、支持軸９内の貫通孔１２を通過した後、第１の支持ヘッド６におけるハウジング８とカバー部材２４との間の空間を通り、ハウジング８の上部側面からハウジング８に形成されたケーブル挿通用孔２６へ挿入され、Ｃ軸を中心として形成されて第１の支持ヘッド６の上部に開口するケーブル挿通用孔２７から延出され、第２の支持ヘッド２９内に導入される。第２の支持ヘッド２９内では、図示しないが、線体２２は、Ｃ軸を中心に回転駆動される回転軸に形成された貫通孔内を通過し、工作機械４０側へ導出される。
【００３３】
図３において、本発明に係る工作機械用スピンドルヘッド１が組み込まれる工作機械の一例を簡単に説明する。工作機械４０は、縦型のマシニングセンタであり、ベッド４１上に付設された左右一対のコラム４２と、一対のコラム４２上を上下方向（Ｚ軸方向）に移動する水平なクロスレール４３と、クロスレール４３上を水平に左右方向（Ｙ軸方向）に移動するサドル４４と、サドル４４上をＺ軸方向に移動するラム４５と、ベッド４１上を前後方向（Ｘ軸方向）に水平に移動するテーブル４６とを含む。そして、本発明に係る工作機械用スピンドルヘッド１は、第２の支持ヘッド２９がラム４５に挿入された状態でラム４５に固定されることにより支持される。
【００３４】
図４は、本発明の他の実施例を示している。本例と前述の実施例とで大きく異なる点は、本例では、各フォークアーム７内の構造が対称ではないことである。工作機械用スピンドルヘッド１は、実施例１と同様に縦型のマシニングセンタ（複合加工機）等に用いられる。
【００３５】
本例の工作機械用スピンドルヘッド１は、前述の実施例と同様に、主要な構成部品として、スピンドルユニット４と、第１の支持ヘッド６と、第２の支持ヘッド２９とで構成されている。
【００３６】
第１の支持ヘッド６は、支持軸３０、３１と、駆動モータ１４と、ロータリジョイント３３、３６と、クランプ手段２８とを有している。ただし、前述の実施例と異なり、各フォークアーム７内の構造がＣ軸に対して線対称ではない。すなわち、本例では、駆動用の駆動モータ１４は一方のフォークアーム７内のみに設けられ、クランプスリーブ２８は他方のフォークアーム７内のみに設けられる。なお、ロータリジョイント３３、３６は、両フォークアーム７内に設けられており、それぞれ、ディストリビュータ３４、３７、シャフト３５、３８とから構成されている。
【００３７】
本例でも、前述の実施例と同様に、スピンドルユニット４から延出される線体２２を配索するための貫通孔１２が一対の支持軸３０、３１に形成されている。なお、前述の実施例では支持軸に形成された貫通孔１２に直接に線体２２が配索されているのに対し、本例では、支持軸３０、３１に形成された貫通孔１２にディストリビュータ３４、３７が挿入されており、そのディストリビュータ３４、３７に形成された貫通孔３４ａ、３７ａに線体２２が配索されている。
【００３８】
このように、線体２２は、第１の支持ヘッド６内における駆動モータ、支持軸、ロータリジョイント等の構造・配置の違いにより、図１の例のように支持軸９に形成された貫通孔１２に直接に配索される場合もあれば、図４の例のように支持軸３０、３１の貫通孔１２内に他の部材を介在させて間接的に配索される場合もある。後者の場合、前記他の部材を回動しないようにすれば（例えば、図４の例のディストリビュータ３４、３７はフォークアーム７のハウジング８に固定されており回動しない。）、その内部を通る線体２２と、前記他の部材とは相対的に不動であるから、線体２２が前記他の部材とこすれて断線するといったトラブルを防止できる。
【００３９】
図示の例における線体２２は、支持軸３０、３１内の貫通孔１２（３４ａ、３７ａ）を通過した後、第１の支持ヘッド６におけるハウジング８とカバー部材２４との間の空間を通り、ハウジング８の上部側面からハウジング８に形成されたケーブル挿通用孔２６へ挿入され、Ｃ軸を中心として形成されて第１の支持ヘッドの上部に開口するケーブル挿通用孔２７から延出され、第２の支持ヘッド２９内に導入される。第２の支持ヘッド２９内では、図示しないが、Ｃ軸を中心に回転駆動される回転軸に形成された貫通孔内を通過し、工作機械４０側へ導出される。
【図面の簡単な説明】
【００４０】
【図１】本発明の工作機械用スピンドルヘッド１の断面図である。
【図２】本発明の工作機械用スピンドルヘッド１の正面図である。
【図３】工作機械用スピンドルヘッド１が組み付けられる工作機械の概要図である。
【図４】本発明の他の実施例の工作機械用スピンドルヘッド１の断面図である。
【符号の説明】
【００４１】
１  工作機械用スピンドルヘッド
２  工具
３  スピンドル
４  スピンドルユニット
５  スピンドルモータ
６  第１の支持ヘッド
７  フォークアーム
８  ハウジング
９  支持軸
１０  回動ホイール
１１  回動スリーブ
１２  貫通孔
１３  軸受
１４  駆動モータ
１５  モータロータ
１６  モータステータ
１７  ステータスリーブ
１８  ロータリジョイント
１９  ディストリビュータ
２０  ディストリビュータ
２１  シャフト
２２  線体
２２ａ  動力線
２２ｂ  信号線
２２ｃ  供給パイプ
２３  取付基部
２４  カバー
２５  回転検出器
２６  ケーブル挿通用孔
２７  ケーブル挿通用孔
２８  クランプ手段
２９  第２の支持ヘッド
３０  支持軸
３１  支持軸
３３  ロータリジョイント
３４  ディストリビュータ
３４ａ  貫通孔
３５  シャフト
３６  ロータリジョイント
３７  ディストリビュータ
３７ａ  貫通孔
３８  シャフト
４０  工作機械
４１  ベッド
４２  コラム
４３  クロスレール
４４  サドル
４５  ラム
４６  テーブル
【図１】
0005246847.tif 000002
【図２】
0005246847.tif 000003
【図３】
0005246847.tif 000004
【図４】
0005246847.tif 000005